(57)【要約】【課題】  伝送ケーブルが風雨にさらされる状態を防止すると共に、誘導雷に対する防御が可能な太陽電池モジュールを提供する。【解決手段】  太陽電池パネル２と、台座部３０、４０とで構成される太陽電池モジュール１を、次のようにして、構成する。即ち、台座部３０は、太陽電池パネル２の周辺を挟持して保持する保持部３１と、該保持部の下部に連設されて該保持部を支持する脚部３２とで構成し、脚部３２は、太陽電池パネル２の出力を伝送する伝送ケーブル４を収納する伝送ケーブル収納路を備えると共に、該収納路は、収納される伝送ケーブル４の軸方向に沿って形成された複数の導電性の壁体３１ｃ，３２ａ，３２ｂ，３２ｃで囲まれた閉鎖空間３３で構成し、該閉鎖空間３３を構成している少なくとも１つの壁体は、脚部３２を構成する壁体の少なくとも１つであるようにして構成する。【選択図】図３
2011035255.tif 000002
【特許請求の範囲】
【請求項１】
太陽電池パネルと、台座部とで構成された太陽電池モジュールであって、
該台座部は、前記太陽電池パネルの周辺を挟持して保持する保持部と、該保持部の下部に連設されて該保持部を支持する脚部とで構成されており、
前記脚部は、前記太陽電池パネルの出力を伝送する伝送ケーブルを収納する伝送ケーブル収納路を備えると共に、
該収納路は、収納される前記伝送ケーブルの軸方向に沿って形成された複数の導電性の壁体で囲まれた閉鎖空間で構成され、
該閉鎖空間を構成している少なくとも１つの前記壁体は、前記脚部を構成する壁体である脚部壁体の少なくとも１つであることを特徴とする太陽電池モジュール。
【請求項２】
請求項１記載の太陽電池モジュールにおいて、
前記閉鎖空間を構成している前記脚部壁体以外の少なくとも１つの前記壁体は、着脱可能に形成されている太陽電池モジュール。
【請求項３】
請求項１または２記載の太陽電池モジュールにおいて、
前記収納路は、前記伝送ケーブルのみならず、他の太陽電池モジュールの伝送ケーブルを収納可能に形成されている太陽電池モジュール。
【請求項４】
請求項３記載の太陽電池モジュールにおいて、
前記収納路は、前記伝送ケーブルと前記他の太陽電池モジュールの伝送ケーブルとを分岐する分岐ボックスを収納可能に形成されている太陽電池モジュール。
【請求項５】
請求項４記載の太陽電池モジュールにおいて、
前記分岐ボックスは、複数の太陽電池モジュールの伝送ケーブルを接続する際に用いられる逆流防止ダイオードを収納可能に形成されている太陽電池モジュール。
【発明の詳細な説明】
【技術分野】
【０００１】
本発明は、太陽電池パネルと、台座部とで構成されると共に、該台座部に、太陽電池パネルの出力を伝送する伝送ケーブルを収納する伝送ケーブル収納路を備えた太陽電池モジュールに関する。
【背景技術】
【０００２】
太陽電池モジュールは、一般的に、太陽電池パネルと台座部とで構成されており、屋外に設置されて使用される。この太陽電池モジュールは、該太陽電池モジュールに備えられている太陽電池パネルが太陽光を受けることにより、太陽光を電力に変換する機能を備えている。
【０００３】
そのため、太陽電池モジュールには、太陽電池パネルが発電した電力を、該太陽電池パネルから取出す伝送ケーブルが備えられており、この伝送ケーブルは、太陽電池モジュールには不可欠のものである。
【０００４】
この伝送ケーブルは、太陽電池モジュールの太陽電池パネルから引出されるため、太陽電池モジュール内を経由して布設する必要があり、この布設を行うのに際して、種々の提案がなされている（例えば、特許文献１参照）。
【０００５】
特許文献１は、太陽電池モジュールにおける伝送ケーブル（送電ケーブル）の収納構造に関するものである。この伝送ケーブルの収納構造は、２個の隣接する太陽電池モジュール間に、伝送ケーブル布設用の断面がコ字形のダクトを配設し、このダクトの内部に伝送ケーブルを布設し、帯状の規制部材をこのダクトの外側に巻付けると共に、この規制部材の端部を、このダクトの開口部の下端で内側に屈曲させ、ダクト内に付設されている伝送ケーブルを固定する構造である。
【先行技術文献】
【特許文献】
【０００６】
【特許文献１】特開２００６−２７８６７２号公報
【発明の概要】
【発明が解決しようとする課題】
【０００７】
しかし、上記の特許文献１に記載の伝送ケーブルの収納構造では、伝送ケーブルが動かないように固定する機能は備えているものの、伝送ケーブルを布設するダクトは、断面がコ字形であり、開口部が存在することから、伝送ケーブルが風雨にさらされる状態である。
【０００８】
ところで、屋外に設置して使用される太陽電池モジュールの長寿命化を図るためには、太陽電池モジュールの寿命のみならず、伝送ケーブルの寿命を延ばす必要がある。そのため、伝送ケーブルが風雨にさらされる状態にならないような対策が必要である。
【０００９】
また、屋外に設置して使用される太陽電池モジュールでは、風雨のみならず、雷にさらされることもある。そのため、落雷による高圧の誘導電流により、太陽電池モジュールや、この太陽電池モジュールに接続される周辺機器が破壊されるおそれがあり、この誘導雷に対する防御対策も必要である。
【００１０】
そこで、この発明は、このような状況に対処するためになされたものであって、伝送ケーブルが風雨にさらされる状態を防止すると共に、誘導雷に対する防御が可能な太陽電池モジュールを提供しようとするものである。
【課題を解決するための手段】
【００１１】
本発明の太陽電池モジュールは、太陽電池パネルと、台座部とで構成された太陽電池モジュールである。この内、台座部は、太陽電池パネルの周辺を挟持して保持する保持部と、該保持部の下部に連設されて該保持部を支持する脚部とで構成されている。
【００１２】
この台座部を構成する脚部は、太陽電池パネルの出力を伝送する伝送ケーブルを収納する伝送ケーブル収納路を備えている。この収納路は、収納される伝送ケーブルの軸方向に沿って形成された複数の導電性の壁体で囲まれた閉鎖空間で構成される。
【００１３】
上記の太陽電池モジュールでは、この閉鎖空間を構成している少なくとも１つの壁体が、脚部を構成する壁体である脚部壁体の少なくとも１つであることを特徴としている。
【００１４】
上記の太陽電池モジュールによれば、太陽電池パネルの出力を伝送する伝送ケーブルが収納される場所である収納路は、複数の導電性の壁体で囲まれた閉鎖空間で構成される。そのため、伝送ケーブルが風雨にさらされる状態を防止することができる。また、上記の閉鎖空間は、複数の導電性の壁体で囲まれて形成されているので、静電遮蔽効果を備えていると同時に電磁波遮断効果も有しており、誘導雷に対する防御を行うことができる。
【００１５】
また、伝送ケーブルが収納される収納路である閉鎖空間は、この閉鎖空間を構成している少なくとも１つの壁体が、太陽電池モジュールの台座部の脚部を構成する壁体である脚部壁体の少なくとも１つを用いて形成されている。
【００１６】
そのため、太陽電池モジュールの台座部を構成する壁体を用いて、伝送ケーブルの収納路を形成することができるので、当該太陽電池モジュールとは別に、この太陽電池モジュールから独立したダクト等を用いる必要性を、排除することができる。
【００１７】
上記の太陽電池モジュールにおいて、閉鎖空間を構成している脚部壁体以外の少なくとも１つの壁体は、着脱可能に形成するのが好適である。このようにすることにより、伝送ケーブルの収納路である閉鎖空間へ、伝送ケーブルを収納する作業を、容易化することができる。
【００１８】
また、上記の太陽電池モジュールにおいて、当該太陽電池モジュールの伝送ケーブルを収納する収納路は、伝送ケーブルのみならず、他の太陽電池モジュールの伝送ケーブルを収納可能に形成するのが好適である。
【００１９】
太陽電池モジュールは、実用に足る電力を得るために、一般的に、同一設置場所に複数の太陽電池モジュールを配列して設置される。そこで、上記のようにすることにより、複数の太陽電池モジュールの設置における伝送ケーブルの布設スペースを、最小限に抑制することができる。
【００２０】
伝送ケーブルを収納する収納路を備えた上記の太陽電池モジュールにおいて、この収納路は、当該太陽電池モジュールの伝送ケーブルと他の太陽電池モジュールの伝送ケーブルとを分岐する分岐ボックスを、収納可能に形成するのが好適である。
【００２１】
この分岐ボックスを、太陽電池モジュールの上記の収納路に収納可能とすることにより、次のような利点がある。
【００２２】
上述したように、同一設置場所に複数の太陽電池モジュールを配列して設置する際に、当該太陽電池モジュールの太陽電池パネルの出力と、隣接する太陽電池モジュールの太陽電池パネルの出力との間に、逆流防止ダイオードを用いることにより、複数の太陽電池モジュールにおける伝送ケーブルの使用本数の省力化を図ることができる。
【００２３】
そこで、この逆流防止ダイオードを上記の分岐ボックスに収納することにより、逆流防止ダイオード６、及び、伝送ケーブル４の接続部を保護することができると共に、複数の太陽電池モジュールを設置する際における伝送ケーブルの使用本数の省力化を、容易に実現することができる。
【発明の効果】
【００２４】
本発明によれば、太陽電池モジュールの太陽電池パネルの出力を伝送する伝送ケーブルが収納される場所である収納路は、複数の導電性の壁体で囲まれた閉鎖空間で構成される。そのため、伝送ケーブルが風雨にさらされる状態を防止することができる。また、上記の閉鎖空間は、複数の導電性の壁体で囲まれて形成されているので、静電遮蔽効果を備えており、誘導雷に対する防御を行うことができる。
【００２５】
また、伝送ケーブルが収納される収納路である閉鎖空間は、この閉鎖空間を構成している少なくとも１つの壁体が、太陽電池モジュールの台座部の脚部を構成する壁体である脚部壁体の少なくとも１つを用いて形成されている。
【００２６】
そのため、太陽電池モジュールの台座部を構成する壁体を用いて、伝送ケーブルの収納路を形成することができるので、当該太陽電池モジュールとは別に、この太陽電池モジュールから独立したダクト等を用いる必要性を、排除することができる。
【図面の簡単な説明】
【００２７】
【図１】本実施の形態における太陽電池モジュールの平面図である。
【図２】本実施の形態における太陽電池モジュールの表面側部分斜視図である。
【図３】本実施の形態における太陽電池モジュールの表面側部分破断斜視図である。
【図４】本実施の形態における太陽電池モジュールの裏面側部分斜視図である。
【図５】本実施の形態における太陽電池モジュールの取付状態を示した平面図である。
【図６】本実施の形態における太陽電池モジュールの取付状態を示した部分斜視図である。
【図７】本実施の形態における太陽電池モジュールの取付状態を示した部分破断斜視図である。
【図８】本実施の形態における太陽電池モジュールの取付に用いられる取付桟の外観を示した斜視図である。
【図９】本実施の形態における太陽電池モジュールの取付に用いられる固定金具の外観を示した斜視図である。
【図１０】本実施の形態における太陽電池モジュールを複数配列して接続した場合の接続図である。
【図１１】本実施の形態における太陽電池モジュールを複数配列すると共に逆流防止ダイオードを用いて接続した場合の接続図である。
【図１２】本実施の形態における太陽電池モジュールの主台座部の断面図である。
【図１３】本実施の形態における他の例の太陽電池モジュールの主台座部の断面図（その１）である。
【図１４】本実施の形態における他の例の太陽電池モジュールの主台座部の断面図（その２）である。
【図１５】本実施の形態における他の例の太陽電池モジュールの主台座部の断面図（その３）である。
【図１６】本実施の形態における他の例の太陽電池モジュールの主台座部の断面図（その４）である。
【発明を実施するための形態】
【００２８】
次に、本発明の実施の形態における太陽電池モジュールについて、図面に基づき詳細に説明する。図１は、本実施の形態における太陽電池モジュール１の平面図、図２は、表面側部分斜視図、図３は、表面側部分破断斜視図、そして、図４は、裏面側部分斜視図である。図１〜図４において、本実施の形態における太陽電池モジュール１は、太陽電池パネル２と、この太陽電池パネル２を保持する台座部２０とで構成されている。台座部２０は、互いに対面して配設される１対の主台座部３０と、同じく、互いに対面して配設される１対の副台座部４０とで構成されている。これらの主台座部３０、及び、副台座部４０は、それぞれ、アルミニウムやステンレススチールやガルバリウム鋼板などの金属で成形されている。
【００２９】
太陽電池モジュール１の台座部２０は、太陽電池パネル２の主辺を保持する主台座部３０と、この主辺と隣接する副辺を保持する副台座部４０とを用いて、太陽電池パネル２を内側に囲むように保持している。
【００３０】
上記の１対の主台座部３０は、それぞれが、主保持部３１（前述した保持部に相当）、及び、主脚部３２（前述した脚部に相当）で構成されている。主保持部３１は、太陽電池パネルの主辺に沿って形成された主保持壁３１ａ、該主保持壁３１ａの上端及び下端から内側に向かって張設された主保持上片３１ｂ、及び、主保持下片３１ｃで構成されており、断面がコ字形で該コ字形の内部に太陽電池パネル２の主辺を上下に挟持して太陽電池パネル２を保持している。
【００３１】
主脚部３２は、主保持部３１の主保持下片３１ｃの下に、内部空間３３（前述した閉鎖空間に相当）を挟んで下方に伸びる主脚外壁３２ａ及び主脚内壁３２ｂと、これらの主脚外壁３２ａ及び主脚内壁３２ｂの下端で内部空間３３を閉塞する主脚底辺３２ｃとを備えると共に、主脚底辺３２ｃは、さらに内側に向かって延設されている。
【００３２】
そして、内部空間３３は、該内部空間３３の側端開口部が、後述する副台座部４０の副脚部４２の副脚外壁４２ａの内側面に当接することにより閉塞されて、構成されている。上記の１対の主台座部３０のそれぞれに形成されているこの内部空間３３の内、いずれか一方は（図３では、右側の主台座部３０）、後述する伝送ケーブル４の収納路として用いられる。
【００３３】
即ち、上記の内部空間３３は、前述の伝送ケーブル収納路に相当する。従って、上記の主台座部３０を構成する上述した構成要素の内、主保持部３１の主保持下片３１ｃ、主脚部３２の主脚外壁３２ａ、主脚内壁３２ｂ、及び、主脚底辺３２ｃが、前述した閉鎖空間を構成する壁体に相当する。また、この内部空間３３を含む主台座部３０の断面は、図１２に示すような断面形状である。
【００３４】
また、主脚部３２の主脚内壁３２ｂの下端付近には、図４に示すように、この主脚内壁３２ｂを貫通する伝送ケーブル導入孔３５が、形成されている。このケーブル導入孔３５は、後述する伝送ケーブル４を、内部空間３３へ導入するのに用いられる。
【００３５】
また、主脚底辺３２ｃが内部空間３３を閉塞する部分には、図３に示すように、主枠部材排水孔３４が形成されている。この主枠部材排水孔３４は、太陽電池モジュール１の主台座部３０における内部空間３３を流れる雨水等の水を、下方外部に排出するのに用いられる。
【００３６】
上記の１対の副台座部４０は、それぞれが、副保持部４１、及び、副脚部４２で構成されている。副保持部４１は、太陽電池パネル２の副辺に沿って形成された副保持壁４１ａ、該副保持壁４１ａの上端及び下端から内側に向かって張設された副保持上片４１ｂ、及び、副保持下片４１ｃで構成されており、断面がコ字形で該コ字形の内部に太陽電池パネル２の副辺を上下に挟持して太陽電池パネル２を保持している。
【００３７】
副脚部４２は、副保持部４１の副保持下片４１ｃの下に、副保持壁４１ａの延長上に下方に伸びる副脚外壁４２ａ、及び、該副脚外壁４２ａの下端から内側に向かって張設された副脚底辺４２ｃで構成されている。
【００３８】
また、副脚部４２の副脚外壁４２ａの左右の両端の内、主脚部３２の伝送ケーブル４の収納路として用いられる内部空間３３の側端開口部が当接する側（例えば、図２、図３における副台座部４０の副脚外壁４２ａの右側の端部）には、図２に示すように、伝送ケーブル挿通孔４３が形成されている。この伝送ケーブル挿通孔４３は、伝送ケーブル４を挿通するのに用いられる。また、この伝送ケーブル挿通孔４３は、対面する一対の副台座部４０の双方の副脚部４２の副脚外壁４２ａに形成されている。
【００３９】
上記の太陽電池モジュール１の太陽電池パネル２の裏面には、図４に示すように、太陽電池パネル２で発電された電力を取出す端子ボックス３が備えられており、この端子ボックス３から、太陽電池パネル２で発電された電力を伝送するための伝送ケーブル４が引出されている。この伝送ケーブル４は、プラスとマイナスの２本で構成されている。
【００４０】
太陽電池モジュール１から出力される電力は、後述するように、ジョイントボックス９（図１０参照）に集められる。そのため、端子ボックス３から引出された伝送ケーブル４は、上述した１対の主台座部３０のいずれか一方（図３では、右側の主台座部３０）の主脚部３２の主脚内壁３２ｂに形成されている伝送ケーブル導入孔３５を介して、この主脚部３２の内部空間３３へ導入される。そして、当該内部空間３３にこの伝送ケーブル４が収納されると共に、この主脚部３２が当接する側の副台座部４０の副脚外壁４２ａの端部に形成されている伝送ケーブル挿通孔４３を介して、伝送ケーブル４が引出されて、ジョイントボックス９へ接続される。
【００４１】
上記の太陽電池モジュール１は、実用に足る電力を得るために、一般的に、複数の太陽電池モジュール１が、同一設置場所に配列して設置される。図５は、複数の上記の太陽電池モジュール１を、取付桟１１上に、ボルト８と固定金具２２を用いて、配列して取付けた状態を示した平面図である。また、図６は、この取付状態を示した部分斜視図、図７は、部分破断斜視図である。
【００４２】
次に、この太陽電池モジュール１の取付桟１１への取付について説明する。図８は、太陽電池モジュール１の取付に用いられる上記の取付桟１１の外観を示した斜視図である。図８において、取付桟１１は、断面がハット（帽子）形をした形状をしている。また、この取付桟１１の天板１２の上面には、取付桟１１の長手方向に沿って、下方に窪んだ排水溝１３が、形成されている。
【００４３】
また、この排水溝１３の底面には、太陽電池モジュール１を固定するための螺子孔１４と、桟排水孔１５とが設けられている。この内、螺子孔１４は、後述するように、太陽電池モジュール１を固定するのに用いられるボルト８が螺入される螺子孔である。また、桟排水孔１５は、取付桟１１の長手方向と直角に交差する方向に細長い形状をした貫通孔であり、排水溝１３を流れる雨水等の水を、下方外部に排出するのに用いられる。
【００４４】
図９は、太陽電池モジュール１の取付に用いられる上記の固定金具２２の外観を示した斜視図である。図９において、この固定金具２２は、平板状の押圧板２２ａの前後の両端部に、下方に突出して形成される突起片２２ｂを備えると共に、押圧板２２ａの中央部に、上下に貫通した押圧板孔２２ｃを備えて形成されている。
【００４５】
上記の固定金具２２の押圧板２２ａは、後述するように、取付桟１１の天板１２上に、離間して隣接して配置される２個の太陽電池モジュール１の端部に備えられた台座部２０を、上から押圧するのに用いられる。また、押圧板孔２２ｃは、ボルト８が挿入される孔である。
【００４６】
また、固定金具２２の突起片２２ｂは、離間して隣接して配置される２個の太陽電池モジュール１の対面する端部、即ち、２個の台座部２０の相互間に形成される隙間７に、挿入される。
【００４７】
次に、上記の太陽電池モジュール１が取付桟１１に取付けられている具体的な取付状態について、説明する。図６、図７において、まず、取付桟１１の天板１２の上に、２個の太陽電池モジュール１を、該太陽電池モジュール１の台座部２０の端部である主台座部３０が、取付桟１１の長手方向に沿うようにして、離間して隣接して載置する。
【００４８】
この際、図７に示すように、主台座部３０の主脚部３２の主脚底辺３２ｃに備えられている主枠部材排水孔３４から、雨水等の水が、取付桟１１の排水溝１３に流れ落ちるように、主枠部材排水孔３４の開口下端が、排水溝１３の上に位置するようにして、太陽電池モジュール１の主台座部３０の主脚部３２の主脚底辺３２ｃを、取付桟１１の天板１２の上面に載置する。
【００４９】
次に、２個の太陽電池モジュール１の台座部２０の端部の上に、固定金具２２を設置する。即ち、図５〜図７において、固定金具２２の押圧板２２ａを、隣接する２個の太陽電池モジュール１の端部に備えられた台座部２０の間に形成されている隙間７を左右方向に跨ぐようにする。
【００５０】
そして、固定金具２２の突起片２２ｂを、隣接する２個の太陽電池モジュール１の対面する端部に備えられた台座部２０間に形成されている隙間７に、上方から挿入する。そして、この２個の太陽電池モジュール１の端部を、固定金具２２の押圧板２２ａにより、上から押圧すると共に、ボルト８を、固定金具２２の押圧板孔２２ｃへ挿入して、取付桟１１の排水溝１３の底面に設けられている螺子孔１４へ螺入して、締付て固定する。
【００５１】
上述したように、太陽電池モジュール１は、実用に足る電力を得るために、一般的に、同一設置場所で、複数の太陽電池モジュール１が用いられる。そこで、これらの複数の太陽電池モジュール１から出力される電力を集めて１つにする必要があり、このため、ジョイントボックス９が用いられる。
【００５２】
図１０は、上記の図５に示す状態において、取付桟１１の向かって左側に配列された太陽電池モジュール１から取出された電力を、伝送ケーブル４を用いて、ジョイントボックス９へ導く状態を示した接続図である。
【００５３】
図１０において、各太陽電池モジュール１の端子ボックス３から引出された伝送ケーブル４は、上述したように、主脚部３２の主脚内壁３２ｂに形成されている伝送ケーブル導入孔３５を介して、この主脚部３２の内部空間３３へ導入される。そして、当該内部空間３３に伝送ケーブル４が収納されると共に、この主脚部３２が当接する側の副台座部４０で、ジョイントボックス９に近い側の副脚外壁４２ａに形成されている伝送ケーブル挿通孔４３を介して、ジョイントボックス９側へ引出される。
【００５４】
図１０では、取付桟１１に向かって左側には、３台の太陽電池モジュール１が、取付桟１１に沿って、隣接する太陽電池モジュール１と密接して、配列されている。この内、ジョイントボックス９から見て、奥側の太陽電池モジュール１の出力を伝送する伝送ケーブル４は、この奥側の太陽電池モジュール１の手前側の伝送ケーブル挿通孔４３から手前側へ引出されて、この奥側の太陽電池モジュール１と隣接する真中の太陽電池モジュール１の奥側の伝送ケーブル挿通孔４３から、この真中の太陽電池モジュール１の内部空間３３に入り、この真中の太陽電池モジュール１の手前側の伝送ケーブル挿通孔４３から手前側へ引出される。
【００５５】
そして、さらに、真中の太陽電池モジュール１と隣接する手前側の太陽電池モジュール１の奥側の伝送ケーブル挿通孔４３から、この手前側の太陽電池モジュール１の内部空間３３に入り、この手前側の太陽電池モジュール１の手前側の伝送ケーブル挿通孔４３から手前側へ引出されて、ジョイントボックス９へ接続される。
【００５６】
同様にして、真中の太陽電池モジュール１の出力を伝送する伝送ケーブル４は、真中の太陽電池モジュール１の手前側の伝送ケーブル挿通孔４３から手前側へ引出されて、この真中の太陽電池モジュール１と隣接する手前側の太陽電池モジュール１の奥側の伝送ケーブル挿通孔４３から、この手前側の太陽電池モジュール１の内部空間３３に入り、この手前側の太陽電池モジュール１の手前側の伝送ケーブル挿通孔４３から手前側へ引出されて、ジョイントボックス９へ接続される。
【００５７】
そして、手前側の太陽電池モジュール１の出力を伝送する伝送ケーブル４は、手前側の太陽電池モジュール１の手前側の伝送ケーブル挿通孔４３から手前側へ引出されて、ジョイントボックス９へ接続される。
【００５８】
上記の手前側の太陽電池モジュール１は、図６、及び、図７では、向かって左側の太陽電池モジュール１が、該当する。従って、図６、及び、図７において、向かって左側の太陽電池モジュール１の伝送ケーブル挿通孔４３からは、上述した３本の伝送ケーブル４が引出されている。
【００５９】
上記の太陽電池モジュール１によれば、太陽電池パネル２の出力を伝送する伝送ケーブル４が収納される場所である収納路は、複数の導電性材料であるアルミニウムの壁体で囲まれた内部空間３３という閉鎖空間で構成される。そのため、伝送ケーブル４が風雨にさらされる状態を防止することができる。また、上記の閉鎖空間は、複数の導電性材料であるアルミニウムの壁体で囲まれて形成されているので、静電遮蔽効果を備えており、誘導雷に対する防御を行うことができる。
【００６０】
また、伝送ケーブル４が収納される収納路である内部空間３３という閉鎖空間は、この閉鎖空間を構成している少なくとも１つの壁体が、太陽電池モジュール１の台座部２０の脚部を構成する壁体である主台座部３０の主脚部３２を構成する脚部壁体を用いて形成されている。
【００６１】
そのため、太陽電池モジュール１の台座部２０を構成する壁体を用いて、伝送ケーブル４の収納路を形成することができるので、当該太陽電池モジュール１とは別に、この太陽電池モジュール１から独立したダクト等を用いる必要性を、排除することができる。
【００６２】
また、上記の太陽電池モジュール１では、当該太陽電池モジュール１の伝送ケーブル４を収納する収納路である内部空間３３は、当該太陽電池モジュール１の伝送ケーブル４のみならず、他の太陽電池モジュール１の伝送ケーブル４が収納可能である。そのため、複数の太陽電池モジュール１の設置における伝送ケーブル４の布設スペースを、最小限に抑制することができる。
【００６３】
上記の太陽電池モジュール１において、同一設置場所に複数の太陽電池モジュール１を配列して設置する際に、当該太陽電池モジュール１の太陽電池パネル２の出力と、隣接する太陽電池モジュール１の太陽電池パネル２の出力との間に、逆流防止ダイオードを用いることにより、複数の太陽電池モジュールにおける伝送ケーブルの使用本数の省力化を図ることができる。
【００６４】
図１１は、同一設置場所に複数の太陽電池モジュール１を配列して設置する上記の図５に示す状態において、取付桟１１の向かって左側に配列された太陽電池モジュール１から取出された電力を、逆流防止ダイオード６と伝送ケーブル４を用いて、ジョイントボックス９へ導く状態を示した接続図である。
【００６５】
即ち、太陽電池モジュール１の出力を隣接する太陽電池モジュール１の出力と接続するのに際して、太陽電池モジュール１の太陽電池パネル２に備えられている端子ボックス３から引出された２本の伝送ケーブル４のプラス、または、マイナスのいずれか一方の極性の線は、そのまま、隣接する太陽電池モジュール１の同一極性の線に接続する。そして、他方の極性の線は、接続を行う前に、逆流防止ダイオード６を挿入してから接続するのである。
【００６６】
このように、逆流防止ダイオード６を用いることにより、上述したように、複数の太陽電池モジュール１における伝送ケーブル４の使用本数の省力化を図ることができる。
【００６７】
上記の逆流防止ダイオード６を使用する場合に、一般的に、逆流防止ダイオード６、及び、伝送ケーブル４の接続部を保護するために、この逆流防止ダイオード６、及び、伝送ケーブル４の接続部を、分岐ボックス５へ収納する。図１１に示す５は、この分岐ボックスである。
【００６８】
そして、上記の分岐ボックス５は、伝送ケーブル４と同様、伝送ケーブル４の収納路である太陽電池モジュール１の主台座部３０における主脚部３２の内部空間３３に収納される。
【００６９】
ところで、上記の太陽電池モジュール１では、伝送ケーブル４、または、伝送ケーブル４と分岐ボックス５とを収納する収納路の役割を果たすのが、太陽電池モジュール１の主台座部３０における主脚部３２の閉鎖空間である内部空間３３である。この内部空間３３を含む太陽電池モジュール１の当該主台座部３０の断面は、上述したように、図１２に示すような断面形状である。
【００７０】
上記の太陽電池モジュール１では、主台座部３０は、金属であるアルミニウムで一体成形されている。そこで、収納路の役割を果たす内部空間３３は、導電性材質であるアルミニウムで形成された複数の壁体、即ち、主台座部３０における主保持部３１の構成要素である主保持下片３１ｃと、主脚部３２の構成要素である主脚外壁３２ａ、主脚内壁３２ｂ、及び、主脚底辺３２ｃとで構成されており、これらは、一体成形されている。
【００７１】
即ち、上記の閉鎖空間である内部空間３３を構成する４つの構成要素は、全て、太陽電池モジュール１の構成要素であり、一体成形されている。その内、３つは、主脚部３２の構成要素であり、一体成形されている。
【００７２】
しかし、上記の太陽電池モジュール１における収納路の役割を果たす内部空間３３を構成する構成要素としては、一体成形されている上記の３つの主脚部３２の構成要素の内、いずれかを、一体成形しないで、代わりに、他のものを用いるようにしてもよい。これを、便宜上、内部空間構成要素代替方式と称する。
【００７３】
或いは、上記の太陽電池モジュール１における収納路の役割を、内部空間３３ではなく、太陽電池モジュール１の主脚部３２の一体成形されている構成要素の少なくとも１つを用いると共に、新たな他のものを付加することにより、新たな閉鎖空間としての内部空間を形成し、この新たな内部空間を収納路として用いるようにしてもよい。これを、便宜上、内部空間代替方式と称する。
【００７４】
このようにすることにより、一体成形されていない部分を、太陽電池モジュール１の主脚部３２に対して、着脱可能にすることができる。そうすることで、伝送ケーブルの収納路である閉鎖空間へ、伝送ケーブル４、または、伝送ケーブル４と分岐ボックス５を収納する作業を、容易化することができる。
【００７５】
上記の内部空間構成要素代替方式の例としては、例えば、太陽電池モジュール１の主台座部３０における主脚部３２の主脚内壁３２ｂを一体成形せずに、この主脚内壁３２ｂに代えて、導電性の材質であるアルミニウム製の収納路カバー５０ａを用いて、内部空間３３を構成するようにしてもよい。図１３は、このようにした場合の、太陽電池モジュール１における、内部空間３３を含む主台座部３０の断面形状を示した断面図である。
【００７６】
また、上記の内部空間構成要素代替方式の他の例としては、例えば、太陽電池モジュール１の主台座部３０における主脚部３２の主脚外壁３２ａを一体成形せずに、この主脚外壁３２ａに代えて、導電性の材質であるアルミニウム製の収納路カバー５０ｂを用いて、内部空間３３を構成するようにしてもよい。図１４は、このようにした場合の、太陽電池モジュール１における、内部空間３３を含む主台座部３０の断面形状を示した断面図である。尚、図１３、図１４において、一点鎖線は、ネジ等による固定箇所を示している。
【００７７】
また、上記の内部空間代替方式の例としては、例えば、上記の太陽電池モジュール１において、主台座部３０の主脚部３２の主脚内壁３２ｂと主脚底辺３２ｃとで形成されるコーナーを、アルミニウム製で曲面状の収納路カバー５０ｃを用いて覆うことにより、この収納路カバー５０ｃと、主脚部３２の主脚内壁３２ｂ及び主脚底辺３２ｃとで囲まれる内部空間３３ａを形成するようにしてもよい。
【００７８】
この場合は、このようにして形成された内部空間３３ａを、伝送ケーブル４、または、伝送ケーブル４と分岐ボックス５の収納路として使用する。図１５は、このようにした場合の、太陽電池モジュール１における、内部空間３３、及び、内部空間３３ａを含む主台座部３０の断面形状を示した断面図である。
【００７９】
また、上記の内部空間代替方式の他の例としては、例えば、上記の太陽電池モジュール１において、主台座部３０の主脚部３２の主脚底辺３２ｃの下に、アルミニウム製で、断面がコ字形の収納路カバー５０ｄを装着して、主脚底辺３２ｃの下に内部空間３３ｂを形成するようにしてもよい。
【００８０】
この場合は、このようにして形成された内部空間３３ｂを、伝送ケーブル４、または、伝送ケーブル４と分岐ボックス５の収納路として使用する。図１６は、このようにした場合の、太陽電池モジュール１における、内部空間３３、及び、内部空間３３ｂを含む主台座部３０の断面形状を示した断面図である。尚、図１５、図１６において、一点鎖線は、ネジ等による固定箇所を示している。
【００８１】
上記の図１３〜図１６の例によれば、太陽電池パネル２の出力を伝送する伝送ケーブル４が収納される場所である収納路は、複数の導電性の壁体で囲まれた閉鎖空間で構成される。そのため、伝送ケーブル４が風雨にさらされる状態を防止することができる。また、上記の閉鎖空間は、複数の導電性の壁体で囲まれて形成されているので、静電遮蔽効果を備えており、誘導雷に対する防御を行うことができる。
【００８２】
また、伝送ケーブルが収納される収納路である閉鎖空間は、この閉鎖空間を構成している少なくとも１つの壁体が、太陽電池モジュール１の台座部２０の脚部を構成する壁体である脚部壁体の少なくとも１つを用いて形成されている。
【００８３】
そのため、太陽電池モジュール１の台座部２０を構成する壁体を用いて、伝送ケーブル４の収納路を形成することができるので、当該太陽電池モジュール１とは別に、この太陽電池モジュール１から独立したダクト等を用いる必要性を排除することができる。
【符号の説明】
【００８４】
１  太陽電池モジュール
２  太陽電池パネル
３  端子ボックス
４  伝送ケーブル
５  分岐ボックス
６  逆流防止ダイオード
７  隙間
８  ボルト
９  ジョイントボックス
１１  取付桟
１２  天板
１３  排水溝
１４  螺子孔
１５  桟排水孔
２０  台座部
２２  固定金具
２２ａ  押圧板
２２ｂ  突起片
２２ｃ  押圧板孔
３０  主台座部
３１  主保持部
３１ａ  主保持壁
３１ｂ  主保持上片
３１ｃ  主保持下片
３２  主脚部
３２ａ  主脚外壁
３２ｂ  主脚内壁
３２ｃ  主脚底辺
３３  内部空間
３３ａ  内部空間
３３ｂ  内部空間
３４  主枠部材排水孔
３５  伝送ケーブル導入孔
４０  副台座部
４１  副保持部
４１ａ  副保持壁
４１ｂ  副保持上片
４１ｃ  副保持下片
４２  副脚部
４２ａ  副脚外壁
４２ｃ  副脚底辺
４３  伝送ケーブル挿通孔
５０ａ  収納路カバー
５０ｂ  収納路カバー
５０ｃ  収納路カバー
５０ｄ  収納路カバー
【図１】
2011035255.tif 000003
【図２】
2011035255.tif 000004
【図３】
2011035255.tif 000005
【図４】
2011035255.tif 000006
【図５】
2011035255.tif 000007
【図６】
2011035255.tif 000008
【図７】
2011035255.tif 000009
【図８】
2011035255.tif 000010
【図９】
2011035255.tif 000011
【図１０】
2011035255.tif 000012
【図１１】
2011035255.tif 000013
【図１２】
2011035255.tif 000014
【図１３】
2011035255.tif 000015
【図１４】
2011035255.tif 000016
【図１５】
2011035255.tif 000017
【図１６】
2011035255.tif 000018